(57)【要約】【課題】  製造容易で、完全な防水が可能な防水構造部品およびその製造方法を提供する。【解決手段】  ケース２はスイッチ本体１を内蔵するとともに、開口をパッキン３で塞いでいる。パッキン３は防水部材４の中間部を貫通させる防水貫通部１５を形成している。このパッキン３は防水貫通部１５の貫通方向に弾性変形可能である。一対の引き紐５ａ、５ｂは、防水部材４の両端にインサート成形されている。その各内端は防水部材４の中間部を越えない位置で表面に露出している。一対の引き紐５ａ、５ｂは防水部材４からの出口部分が防水貫通部１５の貫通方向の中心を通る。【選択図】        図１
2006236585.tif 000002
【特許請求の範囲】
【請求項１】
両端に一対の索条が同時成形された防水部材と、前記防水部材の中間部を貫通させる防水貫通部を形成した防水弾性部材を有し前記防水弾性部材が前記防水貫通部の貫通方向に弾性変形可能である防水構造体とを備え、
前記一対の索条の前記防水部材に同時成形された端部は、それぞれ前記防水貫通部を貫通する前記中間部を越えない位置で前記防水部材の表面に露出している防水構造部品。
【請求項２】
前記一対の索条は前記防水部材からの出口部分が前記貫通方向の中心を通る請求項１記載の防水構造部品。
【請求項３】
請求項１または請求項２記載の防水構造部品を製造する防水構造部品の製造方法であって、前記防水部材の両端に一対の索条を同時成形する成形工程を含み、前記成形工程は、前記防水部材の両端にまたがるように１本の索条を配置しかつその中間部を前記防水部材の側部より外方に引き出した状態で同時成形する第１工程と、前記１本の索条の前記中間部を切断して前記一対の索条に分離する第２工程とを有する防水構造部品の製造方法。
【請求項４】
請求項１または請求項２記載の防水構造部品を製造する防水構造部品の製造方法であって、前記防水部材の両端に一対の索条を同時成形する成形工程を含み、前記成形工程は前記防水部材を成形する金型の凹部内に設けた引っ掛け部に前記索条を引っ掛けて同時成形する防水構造部品の製造方法。
【発明の詳細な説明】
【技術分野】
【０００１】
この発明は、防水スイッチなどの可動部分を有する防水構造部品およびその製造方法に関するものである。
【背景技術】
【０００２】
従来の照明器具用のスイッチなどの可動部分を持つ防水構造部品は、カバー付き防水ケースの内部にスイッチ本体を内蔵し、操作時にはそのカバーを取り外して行っており、作業が面倒であった。
【０００３】
これに対して、カバーを取り外さずにスイッチを外部から操作をしようとした場合、第１の従来例（例えば特許文献１参照）は引き紐を挿通する挿通孔を設け、その挿通孔をパッキンで塞ぎ、パッキンに引き紐を貫通するものであった。
【０００４】
第２の従来例は、組立性を向上するため、図１３に示すように、引き紐７０を直接防水部材７１の内部を貫通するようにインサート成形し、防水部材７１の防水面７２となる中間部をパッキン（図示せず）に貫設したものであった。
【特許文献１】特開平１０−２４１４５３号公報
【発明の開示】
【発明が解決しようとする課題】
【０００５】
しかしながら、第１の従来例は蓋体の引き紐の貫通部分を伝って水が浸入するという欠点があった。
【０００６】
また、第２の従来例は、引き紐７０自体に隙間があるため引き紐７０の内部を水が通り、完全な防水構造とならなかった。
【０００７】
したがって、この発明の目的は、製造が容易でかつ、完全な防水が可能な防水構造部品およびその製造方法を提供することである。
【課題を解決するための手段】
【０００８】
この発明の防水構造部品は、防水部材が両端に一対の索条を同時成形している。防水構造体は、前記防水部材の中間部を貫通させる防水貫通部を形成した防水弾性部材を有し前記防水弾性部材が前記防水貫通部の貫通方向に弾性変形可能である。そして前記一対の索条の前記防水部材に同時成形された端部は、それぞれ前記防水貫通部を貫通する前記中間部を越えない位置で前記防水部材の表面に露出している。
【０００９】
上記構成において、前記一対の索条は前記防水部材からの出口部分が前記貫通方向の中心を通る。
【００１０】
この発明の防水構造部品の製造方法は、上記構成の防水構造部品を製造する防水構造部品の製造方法であって、前記防水部材の前記防水面を境とした内部および外部に一対の索条を同時成形する成形工程を含む。成形工程は前記防水部材の前記防水面を境とした内部および外部に一対の索条を同時成形するものであり、前記成形工程は、前記防水部材の両端にまたがるように１本の索条を配置しかつその中間部を前記防水部材の側部より外方に引き出した状態で同時成形する第１工程と、前記一対の索条の中間部を切断して前記一対の索条に分離する第２工程とを有する。
【００１１】
この発明の別の防水構造部品の製造方法は、上記構成の防水構造部品を製造する防水構造部品の製造方法であって、前記防水部材の前記防水面を境とした内部および外部に一対の索条を同時成形する成形工程を含む。前記成形工程は前記防水部材を成形する金型の凹部内に設けた引っ掛け部に前記索条を引っ掛けて同時成形する。
【発明の効果】
【００１２】
この発明の防水構造部品によれば、防水部材の中間部を境とする両端に一対の索条を同時成形し、その内端を中間部を越えない位置で防水部材の表面に露出したため、索条が防水部材の内部と外部にまたがって貫通しないので、索条を通して水が流れ込むことがなくなり、完全な防水を達成することができる。しかもインサート成形などの同時成形により防水部材と一対の索条を製造することにより防水構造がとれるため、索条を防水部材に結ぶなどの工数が不要であり、製造容易で製造効率がよい。
【００１３】
一対の索条は前記防水部材から延びだす出口部分が前記貫通方向の中心を通るようにすると、一対の索条を引っ張ったときに防水部材が索条に対して傾きにくい。
【００１４】
この発明の防水構造部品の製造方法によれば、１本の索条を防水部材に同時成形する工程を有するため、金型の索条の取付作業が容易になり、防水部材の製造が一層容易になる。また索条に張力をかけた状態で同時成形できるため、製造不良が起こりにくい。
【００１５】
さらに、金型の引っ掛け部に索条を引っ掛けることにより、索条の同時成形部分の距離か長くなるため、防水部材との結合力が高く索条を強く引っ張っても容易に外れなくすることができる。
【発明を実施するための最良の形態】
【００１６】
この発明の第１の実施の形態を図１から図６により説明する。すなわち、この防水スイッチは、スイッチ本体１と、ケース２と、防水弾性部材としての例えばパッキン３と、防水部材４と、一対の索条としての例えば引き紐５ａ、５ｂを有する。
【００１７】
スイッチ本体１とケース２とで防水構造体を構成する。スイッチ本体１は照明器具に使用するものでプルスイッチを用いている。
【００１８】
ケース２は下面に開口１２を有し、開口１２よりスイッチ本体１を収納している。ケース２の上部に器具本体（図示せず）への取付穴６と電線挿入穴７を設け、電線挿入穴７は電線用防水パッキン８を装着している。また周側壁の開口１２側にカバー係止爪９を設け、枠状のカバー１０に切欠きにより形成した引っ掛け部１１をカバー係止爪９に係止してケース２の開口１２にカバー１０を取付けている。
【００１９】
パッキン３はゴム製の防水パッキンであり、ケース２の開口１２の縁部とカバー１０の内面との間に周縁部が挟持されている。パッキン３は略中央部に断面Ｗ字状の筒部１４を有し、その中央に防水部材４を貫通する防水貫通部１５を形成している。これにより、パッキン３は防水貫通部１５の貫通方向に大きく弾性変形可能となる。
【００２０】
防水部材４は金型により成形される長方体形状の成形部品であり、後述のように一対の引き紐５ａ、５ｂが両端に同時成形例えばインサート成形される。この防水部材４は長手方向の中間部を防水面４ａとし、防水面４ａの外周につば４ｂと複数の突条４ｃとを形成し、防水面４ａがパッキン３の防水貫通部１５を貫通するように、複数の突条４ｃを防水貫通部１５に密着嵌合しつば４ｂを防水貫通部１５の端部に密着し、これによって防水部材４をパッキン３に取付けた状態としている。
【００２１】
一対の引き紐５ａ、５ｂは、防水部材４の両端にそれぞれインサート成形されている。この場合、一対の引き紐５ａ、５ｂは、防水部材４からの出口部分が防水部材４のパッキン３の貫通方向の中心を通るようにインサート成形されている。引き紐５ａ、５ｂの内端５ａ１、５ｂ１は防水面４ａを越えない位置で外側面に露出している。引き紐５ｂの外端はスイッチ本体１の作動部例えばスイッチハンドルに連結される。引き紐５ａの外端は引輪板１６が取付けられている。
【００２２】
図２は引輪板１６を引いた状態であり、引き紐５ａおよび防水部材４を介してパッキン３が断面Ｗ字形状から略Ｖ字形状に弾性変形し、引き紐５ｂの引き動作によりスイッチ本体１がスイッチ動作する。引輪板１６から手を離すとスイッチ本体１の作動部の復帰力やパッキン３の復元力によって引輪板１６が元の位置に復元すると同時にパッキン３が図１の状態に復帰する。
【００２３】
つぎに、図５および図６を用いて防水部材の製造方法を説明する。インサート成形に用いる片方の金型２３は図５に示すように防水部材４の約半分を成形するための長方形状の凹部２４を形成し、凹部２４の両端に引き紐を挟持する溝１９、２０を突部２５によって形成し、凹部２４内につば４ｂおよび突条４ｃを形成する部分２４ａを形成するとともに凹部２４内の両端の近くにそれぞれ引っ掛け部となるボス１７、１８を立設し、凹部２４の一側の外方に引っ掛け部となる一対のボス２１、２２を立設している。この金型２３の溝１９、２０に１本の引き紐５を挟持させ、その間の引き紐５の中間部５ｃをボス１７、１８、２１、２２に図５に示すように引っ掛けている。すなわち、それぞれのボス１７、１８、２１、２２で引き紐５の中間部５ｃが約９０度方向転換して全体としてＵ字形に迂回するように引き回している。そして成形に際し樹脂注入時に引き紐５がずれないように、引き紐５に張力を与えた状態に保持する。この金型２３に対向する金型（図示せず）は防水部材４の残りの半分を成形する凹部、突部２５を受ける凹部、ボス１７、１８、２１、２２を嵌合する凹部を形成している。これらの金型を相合わせ、凹部１６内に成形材料を注入し防水部材４を成形する。成形後金型２３を開き、凹部１６から成形品を取り出すと、図６（ｂ）のように引き紐５がインサートされた防水部材４が得られる。２７は成形によって形成されたボス１７、１８が位置した孔である。図６（ａ）は防水部材４を半分に切断し、防水部材４内部の引き紐５およびボス１７、１８、２１、２２を現した状態を示している。つぎに図６（ｃ）のように防水部材４の側面よりはみ出した引き紐の中間部分５ｃを切断分離する。これによって一対の引き紐５ａ、５ｂが防水部材４の両端にそれぞれ連結されたこととなる。図６（ｄ）に示すように、成形品等のボス部材２８や接着剤で孔２７を埋める。これによって、インサート成形品の強度低下を防止する。なお、引き紐５ｂにはスイッチハンドルの係止部３０がインサート成形されている。
【００２４】
このように、防水部材４に中間部５ｃが外部に引き出されるように１本の引き紐５を同時成形することにより、複数本の場合と比較して金型への引き紐５の配置作業が簡単になる。また金型が比較的コンパクトにできる。さらに引き紐５を金型２３内に形成したボス１７、１８に引っ掛けて支持することにより、インサートされている部分が長くなるため、インサート強度が高い。
【００２５】
この発明の第２の実施の形態を図７および図８により説明する。この防水構造部品は防水部材に関し、図７（ａ）のように２本の平行な引き紐５ａ、５ｂを長方体状の防水部材４の一対の対角位置のコーナ部を斜めに貫通させて同時成形している。同図（ｂ）のように側面からはみ出した引き紐５ａ、５ｂを切断する。このとき、引き紐５ａ、５ｂは防水部材４から延びだす出口部分が防水部材４の長手方向の中心を通り、また切断された内端５ａ１、５ｂ１は防水面４ａをまたがない位置に露出し、完全な防水を確保している。
【００２６】
図８（ａ）は一方の金型２３を示し、防水部材４を成形する凹部２４と引き紐５ａ、５ｂを通す溝３１とを形成している。他方の金型３０は金型２３と対称形状をなしている。図８（ｂ）はその引き紐５ａ、５ｂが通る溝３１の部分の断面を示している。なお、引き紐５ａ、５ｂをインサート成形する場合、各引き紐５ａ、５ｂに張力を与えて樹脂注入時に位置がずれないようにしている。
【００２７】
その他の構成は第１の実施の形態と同様である。
【００２８】
この発明の第３の実施の形態を図９に示す。すなわち、この防水構造部品は防水部材に関し、１本の引き紐５の中間部５ｃを金型の凹部の一側に設けたボス３３に支持してくの字形に曲げた状態に保持し、その屈曲部付近が長方体状の防水部材４の隣接する一対のコーナ部を貫通するようにインサート成形し、インサート成形後防水部材４からはみ出した中間部５ｃを図９（ｂ）のように切断し、これが内端５ａ１、５ｂ１となる。これにより、一対の引き紐５ａ、５ｂが防水部材４の長手方向の中央より出た状態となる。その他は第１の実施の形態および第２の実施の形態と同様である。
【００２９】
この発明の第４の実施の形態を図１０に示す。すなわち、防水構造部品の防水部材の製造方法は、第１の実施の形態において、ボス２１、２２の一方を省略して１本にしたものである。なお、ボス２１、２２において引き紐５を単に掛け回すだけでなく、図１０（ｂ）のように１周回すようにするとインサート強度がアップする。
【００３０】
この発明の第５の実施の形態を図１１に示す。すなわち、この防水構造部品の防水部材の製造方法は、第１の実施の形態において、金型の凹部２４外に４本のボス２１ａ、２１ｂ、２２ａ、２２ｂを設け、引き紐５の中間部５ｃをこれらに掛け回すとともに、引き紐５の両端側を凹部２４内のボス１７、１８にＵ字形に折り返している。また引き紐５の両端に相当する位置に引輪板１６とスイッチハンドル係止部３０をインサート成形している。
【００３１】
このように、引き紐５をボス１７、１８に折り返して引き回すようにしたため、防水部材４内の引き紐５が長くなるので、インサート強度が大きくなる。図１１では防水部材４、引輪板１６および係止部３０からなる組の複数組に、１本の引き紐５を連続させてインサート成形している。３５は引き紐５の中間部５ｃの切断箇所で、引き紐５が切断されたことにより一対の引き紐の内端となる箇所である。３６は引き紐５の防水部材４、引輪板１６および係止部３０からなる複数組間を分離するための切断箇所である。なお、引き紐５の防水部材４から出る部分を防水部材４の両端の中心に位置させることは可能である。
【００３２】
この発明の第６の実施の形態を図１２に示す。すなわち、この防水構造部品の防水部材の製造方法に関し、第５の実施の形態において、ボス２１ａ、２１ｂ、２２ａ、２２ｂの相互間隔を比較的大きくして、引き紐５の中間部５ｃの引き回し長さを長くし、この中間部５ｃに引輪板１６と係止部３０をインサート成形し、引き紐５の両端は複数の防水部材４の相互間に連続するようにしている。３７は切断箇所であり、その一部の切断箇所は引き紐の内端となる。
【００３３】
この実施の形態によれば、連続インサートが容易であり、金型も比較的小型にできる。
【００３４】
なお、この発明において、一対の引き紐５ａ、５ｂはそれぞれ１本であったが、複数本とすることは可能である。また索条は、紐に限らず、線材や引き部材であればよい。
【図面の簡単な説明】
【００３５】
【図１】この発明の第１の実施の形態の断面図である。
【図２】引き紐の動作状態を示す部分図である。
【図３】防水スイッチの外観を示す斜視図である。
【図４】その分解斜視図である。
【図５】金型に引き紐を引き回した状態の斜視図である。
【図６】防水部材の製造手順を示す斜視図である。
【図７】第２の実施の形態の引き紐の付いた防水部材の斜視図である。
【図８】第２の実施の形態に使用する一方の金型の斜視図である。
【図９】第３の実施の形態の引き紐の付いた防水部材の斜視図である。
【図１０】第４の実施の形態の引き紐の付いた防水部材の斜視図である。
【図１１】第５の実施の形態の引き紐の付いた防水部材の斜視図である。
【図１２】第６の実施の形態の引き紐の付いた防水部材の斜視図である。
【図１３】従来例の防水部材の斜視図である。
【符号の説明】
【００３６】
１    スイッチ本体
２    ケース
３    パッキン
４    防水部材
４ａ    防水面
５    引き紐
５ａ、５ｂ  引き紐
５ｃ    中間部
１５    防水貫通部
１７、１８    ボス
【図１】
2006236585.tif 000003
【図２】
2006236585.tif 000004
【図３】
2006236585.tif 000005
【図４】
2006236585.tif 000006
【図５】
2006236585.tif 000007
【図６】
2006236585.tif 000008
【図７】
2006236585.tif 000009
【図８】
2006236585.tif 000010
【図９】
2006236585.tif 000011
【図１０】
2006236585.tif 000012
【図１１】
2006236585.tif 000013
【図１２】
2006236585.tif 000014
【図１３】
2006236585.tif 000015